(57)【要約】【課題】ユーザ装置が滞在するセルの場所特性をより適切に判定する。【解決手段】無線通信システムＣＳが、複数の滞在情報要素ＳＥを記憶する滞在情報記憶部１３０と、第１セルＣｂに滞在していたユーザ装置１００が第２セルＣａへの滞在を開始することを検出するセル滞在検出部１２２と、ユーザ装置１００による第１セルＣｂへの滞在に関する第１滞在情報要素ＳＥを、第１セルＣｂを示す第１セル識別子と共に滞在情報記憶部１３０に書き込む滞在情報書込部１２４と、ユーザ装置１００による過去の第２セルＣａへの滞在に関する１以上の第２滞在情報要素ＳＥを、第２セルＣａを示す第２セル識別子を用いて検索し滞在情報記憶部１３０から読み出す滞在情報読込部１２６と、読み出された第２滞在情報要素ＳＥに基づいて、ユーザ装置１００が滞在する第２セルＣａの場所特性を判定する場所特性判定部１２８とを備える。【選択図】図５
2015027066.tif 000002
【特許請求の範囲】
【請求項１】
各々がユーザ装置によるセルへの滞在に関する情報を示す複数の滞在情報要素を記憶する滞在情報記憶部と、
第１セルに滞在していた前記ユーザ装置が、前記第１セルとは異なる第２セルへの滞在を開始することを検出するセル滞在検出部と、
前記セル滞在検出部が前記第２セルへの滞在の開始を検出すると、前記ユーザ装置による前記第１セルへの滞在に関する第１滞在情報要素を、前記第１セルを示す第１セル識別子と共に前記滞在情報記憶部に書き込む滞在情報書込部と、
前記セル滞在検出部が前記第２セルへの滞在の開始を検出すると、前記ユーザ装置による過去の前記第２セルへの滞在に関する１以上の第２滞在情報要素を、前記第２セルを示す第２セル識別子を用いて検索し前記滞在情報記憶部から読み出す滞在情報読込部と、
読み出された前記１以上の第２滞在情報要素に基づいて、前記ユーザ装置が滞在する前記第２セルの場所特性を判定する場所特性判定部と
を備える無線通信システム。
【請求項２】
前記滞在情報記憶部に記憶される複数の前記滞在情報要素の各々は、複数の情報項目を含み、
前記場所特性判定部は、
読み出された前記第２滞在情報要素に含まれる複数の前記情報項目の各々について統計量を算定し、算定された前記統計量を用いて前記ユーザ装置が滞在する前記第２セルの場所特性を判定する
請求項１の無線通信システム。
【請求項３】
前記場所特性判定部は、
複数の前記情報項目に含まれる第１情報項目について１以上の前記第２滞在情報要素を用いて算定された第１統計量を用いて、前記ユーザ装置が滞在する前記第２セルの前記場所特性を一意に判定できなかった場合に、前記第１情報項目とは異なる第２情報項目について１以上の前記第２滞在情報要素を用いて算定された第２統計量を用いて、前記場所特性をさらに判定する
請求項２の無線通信システム。
【請求項４】
前記場所特性判定部は、
複数の前記情報項目の各々について１以上の前記第２滞在情報要素を用いて算定された複数の前記統計量を用いて、前記ユーザ装置が滞在する前記第２セルの前記場所特性を前記統計量毎に判定し、
判定されて得られた複数の前記場所特性のうち最も多い場所特性を前記ユーザ装置が滞在する前記第２セルの前記場所特性として確定する
請求項２の無線通信システム。
【請求項５】
複数の統計量セットの各々は、読み出された前記第２滞在情報要素に含まれる複数の前記情報項目の各々について算定された複数の前記統計量の一部である複数の統計量を含み、
前記場所特性判定部は、
各統計量セットに含まれる複数の前記統計量を用いて、当該統計量セットに基づく前記第２セルの場所特性を判定し、
複数の前記統計量セットの各々に基づいて判定されて得られた複数の前記場所特性のうち、最も多い場所特性を、前記ユーザ装置が滞在する前記第２セルの場所特性として確定する
請求項２の無線通信システム。
【請求項６】
前記滞在情報記憶部に記憶される複数の前記滞在情報要素の各々は、滞在セルに関する
滞在時間長、滞在回数、滞在中に実行された前記ユーザ装置に対する操作の時間長、滞在中に実行された無線通信の回数、滞在開始時刻、滞在終了時刻、滞在時間帯、滞在曜日、および通常滞在セルからの距離
の少なくともいずれかを前記情報項目として含む
請求項２から請求項５のいずれかの無線通信システム。
【請求項７】
各々がユーザ装置によるセルへの滞在に関する情報を示す複数の滞在情報要素を滞在情報記憶部に記憶することと、
第１セルに滞在していた前記ユーザ装置が、前記第１セルとは異なる第２セルへの滞在を開始することを検出することと、
前記第２セルへの滞在の開始が検出されると、前記ユーザ装置による前記第１セルへの滞在に関する第１滞在情報要素を、前記第１セルを示す第１セル識別子と共に前記滞在情報記憶部に書き込むことと、
前記第２セルへの滞在の開始が検出されると、前記ユーザ装置による過去の前記第２セルへの滞在に関する１以上の第２滞在情報要素を、前記第２セルを示す第２セル識別子を用いて検索し前記滞在情報記憶部から読み出すことと、
読み出された前記１以上の第２滞在情報要素に基づいて、前記ユーザ装置が滞在する前記第２セルの場所特性を判定することと
を備える通信制御方法。
【発明の詳細な説明】
【技術分野】
【０００１】
本発明は、無線通信システムおよび通信制御方法に関する。
【背景技術】
【０００２】
近年、ユーザ装置が存在する位置に応じてその位置に応じた情報（例えば、その位置の近傍に存在する店舗の広告情報）をユーザ装置に提供する技術や、ユーザ装置が存在する位置に応じてユーザ装置の動作を制御する技術が提案されている。ユーザ装置の位置は、例えば、ＧＰＳ（Global Positioning System）の測位情報や、基地局の情報に基づいて特定される。
【先行技術文献】
【特許文献】
【０００３】
【特許文献１】特開2010-262484号公報
【発明の概要】
【発明が解決しようとする課題】
【０００４】
ユーザ装置が存在する場所（セル）の役割・機能（以下、「場所特性」と称する場合がある）は、そのユーザ装置を用いるユーザに応じて異なる。例えば、居住エリアおよびオフィスエリアを有する複合施設は、あるユーザにとっては自宅である一方で、他のユーザにとっては勤務地である。すなわち、１つの施設がユーザごとに異なる場所特性を有する場合がある。したがって、位置に応じた情報をユーザ装置に提供する技術や位置に応じてユーザ装置の動作を制御する技術において、ユーザにとっての場所特性が判定されると好適であると考えられる。場所特性を反映したより適切な情報がユーザに提供され得、また、場所特性の反映によりユーザ装置の動作をより適切に制御し得るからである。
【０００５】
以上の事情を考慮して、本発明は、ユーザ装置が滞在するセルの場所特性をより適切に判定することを目的とする。
【課題を解決するための手段】
【０００６】
本発明の無線通信システムは、各々がユーザ装置によるセルへの滞在に関する情報を示す複数の滞在情報要素を記憶する滞在情報記憶部と、第１セルに滞在していた前記ユーザ装置が、前記第１セルとは異なる第２セルへの滞在を開始することを検出するセル滞在検出部と、前記セル滞在検出部が前記第２セルへの滞在の開始を検出すると、前記ユーザ装置による前記第１セルへの滞在に関する第１滞在情報要素を、前記第１セルを示す第１セル識別子と共に前記滞在情報記憶部に書き込む滞在情報書込部と、前記セル滞在検出部が前記第２セルへの滞在の開始を検出すると、前記ユーザ装置による過去の前記第２セルへの滞在に関する１以上の第２滞在情報要素を、前記第２セルを示す第２セル識別子を用いて検索し前記滞在情報記憶部から読み出す滞在情報読込部と、読み出された前記１以上の第２滞在情報要素に基づいて、前記ユーザ装置が滞在する前記第２セルの場所特性を判定する場所特性判定部とを備える。
【０００７】
本発明の好適な態様において、前記滞在情報記憶部に記憶される複数の前記滞在情報要素の各々は、複数の情報項目を含み、前記場所特性判定部は、読み出された前記第２滞在情報要素に含まれる複数の前記情報項目の各々について統計量を算定し、算定された前記統計量を用いて前記ユーザ装置が滞在する前記第２セルの場所特性を判定する。
【０００８】
本発明の好適な態様において、前記場所特性判定部は、複数の前記情報項目に含まれる第１情報項目について１以上の前記第２滞在情報要素を用いて算定された第１統計量を用いて、前記ユーザ装置が滞在する前記第２セルの前記場所特性を一意に判定できなかった場合に、前記第１情報項目とは異なる第２情報項目について１以上の前記第２滞在情報要素を用いて算定された第２統計量を用いて、前記場所特性をさらに判定する。
【０００９】
本発明の好適な態様において、前記場所特性判定部は、複数の前記情報項目の各々について１以上の前記第２滞在情報要素を用いて算定された複数の前記統計量を用いて、前記ユーザ装置が滞在する前記第２セルの前記場所特性を前記統計量毎に判定し、判定されて得られた複数の前記場所特性のうち最も多い場所特性を前記ユーザ装置が滞在する前記第２セルの前記場所特性として確定する。
【００１０】
本発明の好適な態様において、複数の統計量セットの各々は、読み出された前記第２滞在情報要素に含まれる複数の前記情報項目の各々について算定された複数の前記統計量の一部である複数の統計量を含み、前記場所特性判定部は、各統計量セットに含まれる複数の前記統計量を用いて、当該統計量セットに基づく前記第２セルの場所特性を判定し、複数の前記統計量セットの各々に基づいて判定されて得られた複数の前記場所特性のうち、最も多い場所特性を、前記ユーザ装置が滞在する前記第２セルの場所特性として確定する。
【００１１】
本発明の好適な態様において、前記滞在情報記憶部に記憶される複数の前記滞在情報要素の各々は、滞在セルに関する滞在時間長、滞在回数、滞在中に実行された前記ユーザ装置に対する操作の時間長、滞在中に実行された無線通信の回数、滞在開始時刻、滞在終了時刻、滞在時間帯、滞在曜日、および通常滞在セルからの距離の少なくともいずれかを前記情報項目として含む。
【００１２】
本発明の通信制御方法は、各々がユーザ装置によるセルへの滞在に関する情報を示す複数の滞在情報要素を滞在情報記憶部に記憶することと、第１セルに滞在していた前記ユーザ装置が、前記第１セルとは異なる第２セルへの滞在を開始することを検出することと、前記第２セルへの滞在の開始が検出されると、前記ユーザ装置による前記第１セルへの滞在に関する第１滞在情報要素を、前記第１セルを示す第１セル識別子と共に前記滞在情報記憶部に書き込むことと、前記第２セルへの滞在の開始が検出されると、前記ユーザ装置による過去の前記第２セルへの滞在に関する１以上の第２滞在情報要素を、前記第２セルを示す第２セル識別子を用いて検索し前記滞在情報記憶部から読み出すことと、読み出された前記１以上の第２滞在情報要素に基づいて、前記ユーザ装置が滞在する前記第２セルの場所特性を判定することとを備える。
【発明の効果】
【００１３】
本発明によれば、ユーザ装置が滞在するセルの場所特性がより適切に判定される。
【図面の簡単な説明】
【００１４】
【図１】第１実施形態に係る無線通信システムを示すブロック図である。
【図２】第１実施形態に係る基地局が形成するセルを示す図である。
【図３】第１実施形態に係るユーザ装置の構成を示すブロック図である。
【図４】第１実施形態に係る基地局の構成を示すブロック図である。
【図５】第１実施形態に係る場所特性の判定動作を示すフローチャートである。
【図６】記憶部に記憶される滞在情報の構成例を示す図である。
【図７】図５のフローチャート中のステップS340の動作例をより詳細に示すフローチャートである。
【図８】場所特性の判定動作のアルゴリズムを示す決定木の図である。
【図９】図５のフローチャート中のステップS340の動作例をより詳細に示すフローチャートである。
【図１０】図５のフローチャート中のステップS340の動作例をより詳細に示すフローチャートである。
【図１１】場所特性の判定動作のアルゴリズムを示す決定木の具体例の図である。
【発明を実施するための形態】
【００１５】
１．  第１実施形態
１（１）．  無線通信システムの概略
図１は、本発明の第１実施形態に係る無線通信システムＣＳを示すブロック図である。無線通信システムＣＳは、ユーザ装置１００と基地局２００とを要素として備える。基地局２００は、上記以外の不図示の要素、交換局およびゲートウェイを備えるコアネットワークに接続される。ネットワークＮＷは、無線通信システムＣＳが備える上記の要素のうち、ユーザ装置１００以外の要素を備える。
【００１６】
無線通信システムＣＳ内の各要素は、任意のアクセス技術（Access Technology）に従って通信を実行する。例えば、３ＧＰＰ（Third Generation Partnership Project）規格に含まれるＬＴＥ／ＳＡＥ（Long Term Evolution / System Architecture Evolution）規格が、採用可能なアクセス技術として例示される。無線アクセスの多重方式として、周波数多重分割が用いられてもよいし、時分割多重が用いられてもよい。無線通信システムＣＳにおいて、複数の無線アクセス技術（例えば、３Ｇ及びＬＴＥ）が採用されてもよい。
【００１７】
図２に示すように、基地局２００（２００ａ，２００ｂ）は、その周囲にセルＣ（Ｃａ，Ｃｂ）を形成する。セルＣは、固有のセル識別子によって識別される。ユーザ装置１００は、そのユーザ装置１００が滞在する（在圏する）セルＣに対応する基地局２００と無線通信することが可能である。なお、１つの基地局２００が複数のセルＣを形成してもよい。各セルＣにおいて利用される無線アクセス技術は任意に選択され得る。例えば、１つの基地局２００が形成する複数のセルＣにおいて、共通の無線アクセス技術が採用されてもよいし、異なる無線アクセス技術が採用されてもよい。
【００１８】
１（２）．  各要素の構成
１（２）−１．  ユーザ装置の構成
図３は、第１実施形態に係るユーザ装置１００の構成を示すブロック図である。ユーザ装置１００は、無線通信部１１０と制御部１２０と記憶部１３０とを備える。音声・映像等を出力する出力装置およびユーザからの指示を受け付ける入力装置等の図示は便宜的に省略されている。無線通信部１１０は、基地局２００と無線通信を実行するための要素であり、送受信アンテナと、基地局２００からの下り無線信号を受信して電気信号に変換する受信回路と、制御信号、ユーザ信号等の電気信号を上り無線信号に変換する送信回路とを含む。記憶部１３０は、通信制御に関する情報、特にユーザ装置１００によるセルへの滞在に関する情報（滞在情報ＳＩ）を記憶する。すなわち、記憶部１３０は、滞在情報記憶部として機能し得る。滞在情報ＳＩには、複数の滞在情報要素ＳＥが含まれる（詳細は後述される）。
【００１９】
制御部１２０は、セル滞在検出部１２２と滞在情報書込部１２４と滞在情報読込部１２６と場所特性判定部１２８とを備える。セル滞在検出部１２２は、ユーザ装置１００が現在滞在しているセルＣ（元セル）から他のセルＣ（新セル）への滞在を開始することを検出する。滞在情報書込部１２４は、ユーザ装置１００によるセルＣへの滞在に関する滞在情報要素ＳＥを、そのセルＣを示すセル識別子と共に滞在情報ＳＩ（記憶部１３０）に書き込む。滞在情報読込部１２６は、ユーザ装置１００による過去のセルＣへの滞在に関する滞在情報要素ＳＥを、そのセルＣを示すセル識別子を用いて検索し滞在情報ＳＩ（記憶部１３０）から読み出す。場所特性判定部１２８は、滞在情報要素ＳＥに基づいて、ユーザ装置１００が滞在するセルＣの場所特性を判定する。制御部１２０内の各要素の動作の更なる詳細は後述される。制御部１２０および制御部１２０内の各要素は、ユーザ装置１００内のＣＰＵ（不図示）が、記憶部１３０に記憶されたコンピュータプログラムを実行し、そのコンピュータプログラムに従って機能することにより実現される機能ブロックである。
【００２０】
１（２）−２．  基地局の構成
図４は、第１実施形態に係る基地局２００の構成を示すブロック図である。基地局２００は、無線通信部２１０とネットワーク通信部２２０と制御部２３０とを備える。無線通信部２１０は、ユーザ装置１００と無線通信を実行するための要素であり、ユーザ装置１００の無線通信部１１０と同様に構成される。ネットワーク通信部２２０は、ネットワークＮＷ内の他のノード（他の基地局２００、交換局、ゲートウェイ等）と有線にて通信を実行する要素である。制御部２３０は、無線通信部２１０およびネットワーク通信部２２０を介して、ユーザ装置１００およびネットワークＮＷ内の他のノードと信号（制御信号、データ信号等）を送受信する。制御部２３０は、基地局２００内のＣＰＵ（不図示）が、記憶部（不図示）に記憶されたコンピュータプログラムを実行し、そのコンピュータプログラムに従って機能することにより実現される機能ブロックである。
【００２１】
１（３）．  場所特性の判定動作
１（３）−１．  概略
以下に、本実施形態に係る場所特性の判定動作を説明する。図５は、場所特性の判定動作を示すフローチャートである。図６は、記憶部１３０に記憶される滞在情報ＳＩの構成を例示する図である。滞在情報ＳＩは、複数の滞在情報要素ＳＥ（ＳＥ１，ＳＥ２，ＳＥ３，…）を含む。各滞在情報要素ＳＥは、ユーザ装置１００によるセルＣへの滞在に関する情報を示す。滞在情報要素ＳＥの各々は複数の情報項目を含む。
【００２２】
図５において、セル滞在検出部１２２は、ユーザ装置１００がセルＣｂ（元セル）への滞在を終了しセルＣａ（新セル）への滞在を開始したか否か（滞在セルが変更されたか否か）を検出する（S100）。ユーザ装置１００の滞在セルの変更が検出されない場合は、セル滞在検出部１２２によって検出ループが繰り返される（S100；NO）。他方、ユーザ装置１００がセルＣｂからセルＣａへの滞在を開始することが検出されると（S100；YES）、滞在情報書込部１２４は、セルＣｂ（元セル）への滞在に関する滞在情報要素ＳＥを滞在情報ＳＩ（記憶部１３０）に書き込む（S200）。図６は、時刻21:00においてユーザ装置１００がセルＣｂからセルＣａへの滞在を開始した場合に、元セルであるセルＣｂに関する滞在情報要素ＳＥ４が書き込まれた後の滞在情報ＳＩを示す。本例において、滞在情報要素ＳＥは、セル識別子、滞在開始時刻、滞在終了時刻、滞在時間長、および操作時間長（セルにおいてユーザ装置１００が操作されていた時間長）を情報項目として含む。
【００２３】
その後、滞在情報読込部１２６は、新セル（セルＣａ）のセル識別子を有する滞在情報要素ＳＥが、滞在情報ＳＩに記憶されているか否かを判定する（S310）。本例では、セルＣａのセル識別子を有する滞在情報要素ＳＥ１が滞在情報ＳＩに記憶されているので、ステップS310の判定はYESとなる。滞在情報読込部１２６は、セルＣａのセル識別子を有する滞在情報要素ＳＥ１を読み出して、場所特性判定部１２８に通知する（S320）。なお、滞在情報読込部１２６は、新セル（セルＣａ）のセル識別子を有する複数の滞在情報要素ＳＥが滞在情報ＳＩに記憶されている場合、それら複数の滞在情報要素ＳＥを読み出すと好適である。
【００２４】
一方、新セルのセル識別子を有する滞在情報要素ＳＥが滞在情報ＳＩに記憶されていない場合には（S310；NO）、滞在情報読込部１２６は、滞在情報要素ＳＥが存在しない旨を示す通知を場所特性判定部１２８に供給する（S330）。
【００２５】
場所特性判定部１２８は、滞在情報読込部１２６からの通知に基づいて、ユーザ装置１００が滞在する新セル（セルＣａ）の場所特性を判定する（S340）。場所特性の例として、「自宅」、「勤務先」、および「鉄道駅」が非限定的に列挙される。
【００２６】
１（３）−２．  判定動作の詳細
以上のステップS340における場所特性の判定動作は、様々な基準および様々なアルゴリズムを用いて実行され得る。以下に、判定動作の具体例が非限定的に説明される。
【００２７】
１（３）−２ａ．  具体例１
図７は、図５のフローチャート中のステップS340の判定動作の一例を示すフローチャートである。場所特性判定部１２８は、滞在情報読込部１２６が読み込んだ１以上の新セルに関する滞在情報要素ＳＥに含まれる１つの情報項目を選択し（S3401）、選択された情報項目について統計量を算定する（S3402）。そして、場所特性判定部１２８は、算定された統計量を用いて新セルの場所特性を判定する（S3403）。
【００２８】
例えば、ステップS3401で滞在時間長が情報項目として選択された場合には、ステップS3402で滞在時間長の平均値または中央値が統計量として算定される。そして、ステップS3403で、場所特性判定部１２８は、統計量が閾値Ｔｈ（例えば、５時間）を上回るか否かに応じて、新セルの場所特性を「長期滞在箇所」または「短期滞在箇所」のいずれかに判定する。「長期滞在箇所」は「自宅」、「勤務先」等の複数の場所特性を含み、「短期滞在箇所」は「鉄道駅」、「通過セル」等の複数の場所特性を含む。本例では、不図示の複数の滞在情報要素ＳＥも考慮した新セル（セルＣａ）への平均滞在時間長が、閾値Ｔｈを上回る「９時間」であると想定する。結果として、ステップS3403において新セルの場所特性が「長期滞在箇所」であると判定される。
【００２９】
場所特性判定部１２８は、ステップS3403の判定により新セルの場所特性が一意に判定されたか否かを判定する（S3404）。本例では、ステップS3403において、新セルの場所特性が複数の場所特性を含む「長期滞在箇所」であると判定されている。したがって、場所特性判定部１２８は、新セルの場所特性が一意に判定されていないと判定する（S3404；NO）。そして、前回選択された情報項目とは異なる情報項目が選択され（S3401）、統計量が算定される（S3402）。例えば、異なる情報項目として滞在開始時刻が選択され、滞在開始時刻の平均値または中央値が統計量として算定される。場所特性判定部１２８は、統計量が所定のパターンを示すか否かに応じて新セルの場所特性を判定する（S3403）。例えば、滞在開始時刻の統計量が午前６時から正午までの範囲内にある場合には、場所特性が「勤務先」であると判定し、そうでなければ場所特性が「自宅」であると判定する。本例において、「勤務先」および「自宅」は更なる場所特性を含まない。
【００３０】
新セルの場所特性が一意に判定された場合（S3404；YES）、場所特性判定部１２８は、判定された場所特性を確定する（S3405）。確定された新セルの場所特性の情報は、任意に利用され得る。例えば、新セルの場所特性に応じて、ユーザに提供される情報が選択されると好適である。
【００３１】
以上に説明された図７の判定動作は、決定木アルゴリズムとして表現できる。図８に、本例のアルゴリズムに対応する決定木を示す。場所特性は、ルートノードn0における判定（滞在時間長による判定）の結果、ノードn1（長期滞在箇所）とノードn2（短期滞在箇所）とに区分される。そして、場所特性は、ノードn1における判定（滞在開始時刻による判定）の結果、ノードn3（勤務先）とノードn4（自宅）とに区分され、ノードn2における判定（操作時間長による判定）の結果、ノードn5（鉄道駅）とノードn6（通過セル）とに区分される。以上の説明から理解される通り、本例の場所特性判定は再帰的に実行される。
【００３２】
１（３）−２ｂ．  具体例２
図９は、図５のフローチャート中のステップS340の判定動作の一例を示すフローチャートである。場所特性判定部１２８は、前述の例（具体例１）と同様に、１以上の新セルに関する滞在情報要素ＳＥに含まれる１つの情報項目を選択し（S3401）、選択された情報項目について統計量を算定する（S3402）。そして、場所特性判定部１２８は、算定された統計量を用いて、新セルの場所特性を判定する（S3403）。
【００３３】
場所特性判定部１２８は、滞在情報要素ＳＥに含まれる全ての情報項目について、ステップS3401からS3403の判定動作を繰り返す（S3414）。換言すると、本例では、新セルの場所特性が情報項目ごと（統計量ごと）に判定される。全ての情報項目について場所特性の判定動作が実行されると（S3414；YES）、場所特性判定部１２８は、判定されて得られた複数の場所特性のうち最も多い場所特性を、ユーザ装置１００が滞在する新セルの場所特性として確定する（S3415）。すなわち、多数決によって場所特性が確定される。例えば、２つの情報項目（統計量）について「勤務先」と判定され、他の１つの情報項目（統計量）について「鉄道駅」と判定され、他のもう１つの情報項目（統計量）について「通過セル」と判定された場合、場所特性判定部１２８は、最も多い場所特性である「勤務先」を新セルの場所特性として確定する。
【００３４】
なお、ステップS3415において、最も多い場所特性が複数存在する場合（例えば、２つの情報項目について「勤務先」と判定され、他の２つの情報項目について「鉄道駅」と判定された場合）、ランダムにいずれか１つの場所特性が選択されてもよいし、予め定められた情報項目の優先順位に従って、最も優先順位の高い情報項目について判定された場所特性が選択されてもよい。
【００３５】
１（３）−２ｃ．  具体例３
この具体例３においては、滞在情報読込部１２６が読み込んだ１以上の新セルに関する滞在情報要素ＳＥが含む複数の情報項目の各々について算定された複数の統計量のうち、一部である複数の統計量を含む「統計量セット」が規定される。より具体的には、例えば、複数の統計量として「平均滞在時間長」、「平均滞在回数」、「滞在時間帯」、および「休日滞在回数」が存在する場合において、第１の統計量セットには「平均滞在時間」「平均滞在回数」が含まれ、第２の統計量セットには「滞在時間帯」「休日滞在回数」が含まれ、第３の統計量セットには「休日滞在回数」「平均滞在時間」「平均滞在回数」が含まれる。以上から理解される通り、１つの統計量が複数の統計量セットに重複して含まれてもよい。
【００３６】
「平均滞在時間長」とは、滞在時間長の平均値である。「平均滞在回数」とは、１月当たりにそのセルＣに滞在した回数である。「滞在時間帯」とは、滞在時間が占める時間帯であり、「朝」、「昼」、「夜」、「深夜」等である。「休日滞在回数」とは、ユーザの休日（例えば日曜日）にそのセルＣに滞在した１月当たりの回数である。
【００３７】
図１０は、図５のフローチャート中のステップS340の判定動作の一例を示すフローチャートである。場所特性判定部１２８は、複数の統計量セットのうち１つを選択し（S3421）、選択した統計量セットに含まれるべき統計量を、複数の情報項目を用いて算定する（S3422）。そして、場所特性判定部１２８は、算定された複数の統計量を用いて、その統計量セットに基づく新セルの場所特性を判定する（S3423）。
【００３８】
ステップS3423の場所特性の判定は、任意のアルゴリズム（例えば、具体例１の決定木アルゴリズム）に基づいて実行される。ステップS3421で上述の第１の統計量セットが選択された場合には、図１１に示すように、第１の統計量セットに含まれる２つの統計量（「平均滞在時間」および「平均滞在回数」）と閾値との比較による決定木アルゴリズムに基づいて、場所特性が判定される。例えば、「平均滞在時間」が８時間以上である場合には、その新セルの場所特性は「自宅」または「勤務先」であると判定され、さらに「平均滞在回数」が「１月当たり２５日以上」である場合には、その新セルの場所特性は「自宅」であると判定される。
【００３９】
場所特性判定部１２８は、全ての統計量セットについてステップS3421からS3423の判定動作を繰り返す（S3424）。すなわち、本例では、新セルの場所特性が統計量セットごとに（決定木ごとに）判定される。全ての統計量セットについて場所特性の判定動作が実行されると（S3424；YES）、場所特性判定部１２８は、判定されて得られた複数の場所特性のうち最も多い場所特性を、ユーザ装置１００が滞在する新セルの場所特性として確定する（S3425）。すなわち、本例においては、決定木アルゴリズムを用いて得られた複数の場所特性についての多数決によって新セルの場所特性が確定される。なお、最も多い場所特性が複数存在する場合、前述の具体例２のように場所特性が判定され得る。
【００４０】
１（４）．  本実施形態の効果
以上の構成によれば、複数の情報項目（統計量）に基づいてユーザ装置１００が滞在する新セルの場所特性が判定される。したがって、単一の基準に基づいた場所特性の判定する構成と比較して、新セルの場所特性がより適切に判定される。特に、単一の基準では場所特性を一意に判定できない場合（例えば、滞在時間長の近似する「勤務先」と「自宅」とを弁別できない場合）、以上の構成による効果がより顕著となる。また、セル識別子に基づいて場所特性が判定されるので、ＧＰＳの測位情報を用いて地理的位置を算定し場所特性を判定する構成と比較して、判定処理の負荷および電力消費量が低減される。
【００４１】
２．  変形例
以上の実施形態は多様に変形される。具体的な変形の態様を以下に例示する。以上の実施の形態および以下の例示から任意に選択された２以上の態様は、相互に矛盾しない限り適宜に併合され得る。
【００４２】
２（１）．  変形例１
滞在情報要素ＳＥが含む情報項目には、多様な項目が含まれ得る。例えば、セルＣに滞在した曜日（滞在曜日）、セルＣに滞在した時間帯（滞在時間帯）、セルＣ滞在中に実行された無線通信の回数、および、ユーザ装置１００が頻繁に滞在する通常滞在セル（例えば、ユーザの自宅に対応するセルＣ）からの距離が情報項目の例として示される。以上の情報項目の全部または一部が滞在情報要素ＳＥに含まれ得る。
【００４３】
前述のように、「勤務先」と「自宅」とでは滞在時間長が近似するので、さらに滞在曜日を判定基準に加えることで、「勤務先」と「自宅」とを弁別できるようになる。より具体的には、休日（例えば、土曜日および日曜日）には滞在しないセルＣであれば「勤務先」と判定でき、休日にも滞在するセルＣであれば「自宅」と判定できる。
【００４４】
通常滞在セルからの距離は任意に算定され得る。例えば、通常滞在セルから、距離が測定されるべきセルＣまでに要するホップ数（セル切替数）が、通常滞在セルからの距離として算定され得る。以上の構成では、ＧＰＳ測位情報に基づいて距離を算定する構成と比較して、構成が簡易となる他、処理負荷が低減される。
【００４５】
また、情報項目として、セル識別子に加え、セル識別子から導出される他の識別子が含まれてもよい。例えば、セル識別子に対応するセルＣを形成する基地局２００の識別子、そのセルＣにて用いられる周波数帯域の識別子、およびそのセルＣを形成するアンテナの識別子が、「他の識別子」として含まれてもよい。なお、「他の識別子」は、セル識別子に含まれる識別子であってもよいし、セル識別子をキーとして検索される識別子（セル識別子に含まれない識別子）であってもよい。
【００４６】
２（２）．  変形例２
以上の実施形態においては、ユーザ装置１００がセル滞在検出部１２２、滞在情報書込部１２４、滞在情報読込部１２６、場所特性判定部１２８、および記憶部１３０（滞在情報ＳＩ）を備える。しかしながら、以上の要素の少なくともいずれかがネットワークＮＷ側の装置（例えば、基地局２００、専用サーバ装置）に備えられてもよい。例えば、セル滞在検出部１２２、滞在情報書込部１２４、滞在情報読込部１２６、場所特性判定部１２８、および記憶部１３０（滞在情報ＳＩ）の全てがネットワークＮＷ側の装置に備えられてもよい。また、場所特性判定部１２８がネットワークＮＷ側の装置に備えられてもよい。別の構成として、滞在情報書込部１２４、滞在情報読込部１２６、場所特性判定部１２８、および記憶部１３０（滞在情報ＳＩ）がネットワークＮＷ側の装置に備えられてもよい。すなわち、本発明を実施するための要素の各々は、無線通信システムＣＳの任意の箇所に配置され得る。
【００４７】
２（３）．  変形例３
以上の具体例３における決定木アルゴリズムによる判定にて用いられる統計量セットは、予め定められて記憶部１３０に記憶されてもよいし、図５のステップS340が実行される際に動的に設定されてもよい。また、ステップS3423の決定木アルゴリズムにおける閾値（いずれの枝が選択されるべきかの基準値）は、経験的にまたは実験的に設定されてもよいし、判定の不確実性を減少させるように（すなわち、エントロピーを減少させるように）設定されてもよい。
【００４８】
各統計量セット（各決定木）における複数の統計量および判定順序（ノードの論理的位置）は任意に設定され得る。例えば、複数の統計量がランダムに選択され、それらの判定順序がランダムに設定されてもよい。また、複数の統計量がランダムに選択され、それらの判定順序が判定の不確実性を減少させるように（すなわち、エントロピーを減少させるように）設定されてもよい。
【００４９】
２（４）．  変形例４
ユーザ装置１００は基地局２００と無線通信が可能な任意の装置である。ユーザ装置１００は、例えば、フィーチャーフォンまたはスマートフォン等の携帯電話端末でもよく、デスクトップ型パーソナルコンピュータでもよく、ノート型パーソナルコンピュータでもよく、ＵＭＰＣ（Ultra-Mobile Personal Computer）でもよく、携帯用ゲーム機でもよく、その他の無線端末でもよい。
【００５０】
２（５）．  変形例５
無線通信システムＣＳ内の各要素（ユーザ装置１００、基地局２００）においてＣＰＵが実行する各機能は、ＣＰＵの代わりに、ハードウェアで実行してもよいし、例えばＦＰＧＡ（Field Programmable Gate Array）、ＤＳＰ（Digital Signal Processor）等のプログラマブルロジックデバイスで実行してもよい。
【符号の説明】
【００５１】
１００……ユーザ装置、１１０……無線通信部、１２０……制御部、１２２……セル滞在検出部、１２４……滞在情報書込部、１２６……滞在情報読込部、１２８……場所特性判定部、１３０……記憶部、２００……基地局、２１０……無線通信部、２２０……ネットワーク通信部、２３０……制御部、Ｃ（Ｃａ，Ｃｂ）……セル、ＣＳ……無線通信システム、ＮＷ……ネットワーク、ＳＥ……滞在情報要素、ＳＩ……滞在情報。
【図１】
2015027066.tif 000003
【図２】
2015027066.tif 000004
【図３】
2015027066.tif 000005
【図４】
2015027066.tif 000006
【図５】
2015027066.tif 000007
【図６】
2015027066.tif 000008
【図７】
2015027066.tif 000009
【図８】
2015027066.tif 000010
【図９】
2015027066.tif 000011
【図１０】
2015027066.tif 000012
【図１１】
2015027066.tif 000013